(57)【要約】【課題】バリが配管の内部に進入することを防止できる配管のバリ進入防止具を提供する。【解決手段】配管のバリ進入防止具は、配管の端部から前記配管の内部に挿入し得る外径を備えた支持部と、前記支持部の前端部の側の外周に設けられ、前記支持部の前端部が前記配管の端部から前記配管の内部に挿入された際に前記配管の内部に接触し得る外径を備えたバリ進入防止部と、を備えた。当該構成によれば、バリが配管の内部に進入することを防止できる。【選択図】図３
2018176363.tif 000002
【特許請求の範囲】
【請求項１】
配管の端部から前記配管の内部に挿入し得る外径を備えた支持部と、
前記支持部の前端部の側の外周に設けられ、前記支持部の前端部が前記配管の端部から前記配管の内部に挿入された際に前記配管の内部に接触し得る外径を備えたバリ進入防止部と、
を備えた配管のバリ進入防止具。
【請求項２】
前記バリ進入防止部は、前記配管の内径よりも大きい外径を備えた弾性部材で形成された請求項１に記載の配管のバリ進入防止具。
【請求項３】
前記バリ進入防止部は、前端部の外径よりも後端部の外径が大きくなるように形成された請求項２に記載の配管のバリ進入防止具。
【請求項４】
前記支持部に設けられ、強磁性体で形成されたバリ飛散防止部、
を備えた請求項１から請求項３のいずれか１項に記載の配管のバリ進入防止具。
【請求項５】
前記バリ飛散防止部は、前記支持部において前記バリ進入防止部の後端部の側に設けられた請求項４に記載の配管のバリ進入防止具。
【請求項６】
前記支持部の後端部の側に設けられ、前記配管の内径よりも大きい外形を備えた移動規制部、
を備えた請求項１から請求項５のいずれか１項に記載の配管のバリ進入防止具。
【請求項７】
既設の配管を切断する既設配管切断工程と、
請求項１から請求項６のいずれか１項に記載のバリ進入防止具の前記バリ進入防止部を前記既設の配管の切断された端部から前記既設の配管の内部に挿入するバリ進入防止具挿入工程と、
前記バリ進入防止具の前記バリ進入防止部が前記既設の配管の切断された端部から前記既設の配管の内部に挿入された状態で前記既設の配管の切断された端部のバリを除去するバリ除去工程と、
前記バリが除去された状態で前記既設の配管の切断された端部から前記バリ進入防止具を引き抜くバリ進入防止具引抜工程と、
新設の配管の端部を前記既設の配管の切断された端部に接続する新設配管接続工程と、
を備えた配管の接続方法。
【請求項８】
前記既設配管切断工程は、空調機の既設の室外機の側において鉛直方向に伸びた既設の配管を切断する工程であり、
前記バリ進入防止具挿入工程は、前記バリ進入防止具の前記バリ進入防止部を前記既設の配管の切断された上端部から前記既設の配管の内部に挿入する工程であり、
前記バリ除去工程は、前記バリ進入防止具の前記バリ進入防止部が前記既設の配管の切断された上端部から前記既設の配管の内部に挿入された状態で前記既設の配管の切断された上端部のバリを除去する工程であり、
前記バリ進入防止具引抜工程は、前記バリが除去された状態で前記既設の配管の切断された上端部から前記バリ進入防止具を引き抜く工程であり、
前記新設配管接続工程は、前記空調機の新設の室外機に設けられた新設の配管の下端部を前記既設の配管の切断された上端部に接続する工程である請求項７に記載の配管の接続方法。
【発明の詳細な説明】
【技術分野】
【０００１】
この発明は、配管のバリ進入防止具および配管の接続方法に関する。
【背景技術】
【０００２】
特許文献１は、配管の洗浄装置を開示する。当該洗浄装置によれば、配管の過剰洗浄と過剰不足とを抑制し得る。その結果、空調機等の設備を更新する際に、既設の配管を再利用し得る。
【先行技術文献】
【特許文献】
【０００３】
【特許文献１】特開２００４−４４８７２号公報
【発明の概要】
【発明が解決しようとする課題】
【０００４】
しかしながら、特許文献１に記載の洗浄装置においては、既設の配管の切断後に発生するバリが考慮されていない。このため、当該バリが除去された後に既設の配管の内部に進入し得る。その結果、設備の不具合が発生し得る。
【０００５】
この発明は、上述の課題を解決するためになされた。この発明の目的は、バリが配管の内部に進入することを防止できる配管のバリ進入防止具および配管の接続方法を提供することである。
【課題を解決するための手段】
【０００６】
この発明に係る配管のバリ進入防止具は、配管の端部から前記配管の内部に挿入し得る外径を備えた支持部と、前記支持部の前端部の側の外周に設けられ、前記支持部の前端部が前記配管の端部から前記配管の内部に挿入された際に前記配管の内部に接触し得る外径を備えたバリ進入防止部と、を備えた。
【０００７】
この発明に係る配管の接続方法は、既設の配管を切断する既設配管切断工程と、前記バリ進入防止具の前記バリ進入防止部を前記既設の配管の切断された端部から前記既設の配管の内部に挿入するバリ進入防止具挿入工程と、前記バリ進入防止具の前記バリ進入防止部が前記既設の配管の切断された端部から前記既設の配管の内部に挿入された状態で前記既設の配管の切断された端部のバリを除去するバリ除去工程と、前記バリが除去された状態で前記既設の配管の切断された端部から前記バリ進入防止具を引き抜くバリ進入防止具引抜工程と、新設の配管の端部を前記既設の配管の切断された端部に接続する新設配管接続工程と、を備えた。
【発明の効果】
【０００８】
これらの発明によれば、バリ進入防止部は、支持部の前端部が配管の端部から配管の内部に挿入された際に配管の内部に接触する。このため、バリが配管の内部の奥側に移動した場合、当該バリは、バリ進入防止部により移動を抑制される。その結果、バリが配管の内部に進入することを防止できる。
【図面の簡単な説明】
【０００９】
【図１】この発明の実施の形態１における配管のバリ進入防止具が適用される配管のバリ取りを説明するための図である。
【図２】この発明の実施の形態１における配管のバリ進入防止具の側面図である。
【図３】この発明の実施の形態１における配管のバリ進入防止具が配管の端部の内部に挿入された状態を示す斜視図である。
【図４】この発明の実施の形態１における配管のバリ進入防止具が配管の端部の内部から引き抜かれる途中の状態を示す斜視図である。
【図５】この発明の実施の形態１における配管のバリ進入防止具が適用される配管の接続方法を説明するためのフローチャートである。
【図６】この発明の実施の形態２における配管のバリ進入防止具の側面図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。
【００１１】
実施の形態１．
図１はこの発明の実施の形態１における配管のバリ進入防止具が適用される配管のバリ取りを説明するための図である。
【００１２】
図１において、空調機の室外機１は、建築物の外部に設けられる。例えば、室外機は、圧縮機１ａとファン１ｂと基板１ｃとを備える。配管２は、空調機の室外機１と室内機とをつなぐ。配管２は、室外機１と室内機との間で冷媒が流れるように中空状に形成される。
【００１３】
空調機が更新される際、配管２は、室外機１の側において切断される。その後、既設の室外機１は、搬出される。その後、新設の室外機１が搬入される。その後、新設の室外機１の側に設けられた新設の配管の端部と既設の配管２の端部とが接続される。
【００１４】
既設の配管２が切断された際、バリが既設の配管２の切断された端部に発生する。当該バリが図示されないバリ取りカッター等により除去される際、バリ進入防止具３が用いられる。
【００１５】
次に、図２から図４を用いて、バリ進入防止具３の使用方法を説明する。
図２はこの発明の実施の形態１における配管のバリ進入防止具の側面図である。図３はこの発明の実施の形態１における配管のバリ進入防止具が配管の端部の内部に挿入された状態を示す斜視図である。図４はこの発明の実施の形態１における配管のバリ進入防止具が配管の端部の内部から引き抜かれる途中の状態を示す斜視図である。
【００１６】
図２に示されるように、バリ進入防止具３は、支持部４と把持部５とバリ進入防止部６とを備える。
【００１７】
支持部４は、配管２の端部から配管２の内部に挿入し得る外径を備える。例えば、支持部４は、棒状に形成される。例えば、支持部４は、金属で形成される。
【００１８】
把持部５は、支持部４の後端部の側に設けられる。把持部５は、作業員が把持し得るように形成される。例えば、把持部５は、樹脂で形成される。
【００１９】
バリ進入防止部６は、支持部４の前端部の側の外周に設けられる。バリ進入防止部６は、支持部４の前端部が配管２の端部から配管２の内部に挿入された際に配管２の内部に接触し得る外径を備える。例えば、バリ進入防止部６は、配管２の内径よりも大きい外径を備えた弾性部材で形成される。例えば、バリ進入防止部６は、スポンジで形成される。例えば、バリ進入防止部６は、ゴムで形成される。
【００２０】
図３に示されるように、配管２の端部のバリが除去される前に、バリ進入防止部６は、配管２の端部から配管２の内部に挿入される。この際、バリ進入防止部６は、弾性変形して配管２の内周との隙間を埋める。その結果、バリ進入防止部６の外周は、配管２の内周と密着する。その後、バリが除去されると、当該バリが配管２の内部の奥側に向けて移動することもある。この際、当該バリは、バリ進入防止部６により移動を抑制される。
【００２１】
図４に示されるように、バリが除去された後、バリ進入防止部６は、配管２の内部から引き抜かれる。この際、当該バリは、バリ進入防止部６の移動に追従して配管２の内部から外部に移動する。
【００２２】
次に、図５を用いて、配管２の接続方法の概要を説明する。
図５はこの発明の実施の形態１における配管のバリ進入防止具が適用される配管の接続方法を説明するためのフローチャートである。
【００２３】
ステップＳ１では、既設配管切断工程が行われる。具体的には、既設の配管２が切断される。例えば、空調機の既設の室外機１の側において、鉛直方向に伸びた既設の配管２が切断される。この際、既設の配管２の切断された端部に対し、フレア加工が行われる。
【００２４】
その後、ステップＳ２では、バリ進入防止具挿入工程が行われる。具体的には、バリ進入防止具３のバリ進入防止部６が既設の配管２の切断された端部から既設の配管２の内部に挿入される。例えば、バリ進入防止具３のバリ進入防止部６が既設の配管２の切断された上端部から既設の配管２の内部に挿入される。
【００２５】
その後、ステップＳ３では、バリ除去工程が行われる。具体的には、バリ進入防止具３のバリ進入防止部６が既設の配管２の切断された端部から既設の配管２の内部に挿入された状態で、既設の配管２の切断された端部のバリが除去される。例えば、バリ進入防止具３のバリ進入防止部６が既設の配管２の切断された上端部から既設の配管２の内部に挿入された状態で、既設の配管２の切断された上端部のバリが除去される。
【００２６】
その後、ステップＳ４では、バリ進入防止具引抜工程が行われる。具体的には、バリが除去された状態で既設の配管２の切断された端部からバリ進入防止具３が引き抜かれる。
【００２７】
その後、ステップＳ５では、新設配管接続工程が行われる。具体的には、新設の配管の端部が既設の配管２の切断された端部に接続される。例えば、空調機の新設の室外機１に設けられた新設の配管の下端部が既設の配管２の切断された上端部に接続される。
【００２８】
以上で説明した実施の形態１によれば、バリ進入防止部６は、支持部４の前端部が配管２の端部から配管２の内部に挿入された際に配管２の内部に接触する。このため、バリが配管２の内部の奥側に移動した場合、当該バリは、バリ進入防止部６により移動を抑制される。その結果、バリが配管２の内部に進入することを防止できる。
【００２９】
例えば、バリ進入防止具３が空調機の配管に適用された場合、ストレーナー、膨張弁、圧縮機１ａ等において、バリが詰まることを防止できる。その結果、冷媒の循環不良、冷媒の漏れ等、空調機の故障を防止することができる。
【００３０】
また、バリ進入防止部６は、配管２の内径よりも大きい外径を備えた弾性部材で形成される。このため、バリ進入防止部６の外周を配管２の内周に密着させることができる。その結果、バリが配管２の内部に進入することをより確実に防止できる。
【００３１】
この際、バリ進入防止具３は、配管２の端部の側において保持される。このため、作業員は、場所および姿勢においてもバリが配管２の内部に進入することを気にせずに当該バリを除去することができる。
【００３２】
特に、鉛直方向に伸びた既設の配管２の切断された端部に対してバリを除去しても、バリが配管２の内部に進入することを防止できる。このため、既設の配管２の大部分を再利用できる。その結果、新設の配管を短くすることができる。このため、新設の配管の材料費を安くすることができる。
【００３３】
なお、支持部４の長さは適宜設定すればよい。例えば、バリを除去する際の邪魔にならないように支持部４の長さを設定すればよい。例えば、バリを除去する際にバリ取りカッターの利用を妨げないように支持部４の長さを設定すればよい。
【００３４】
実施の形態２．
図６はこの発明の実施の形態２における配管のバリ進入防止具の側面図である。なお、実施の形態１と同一または相当部分には、同一符号が付される。当該部分の説明は省略される。
【００３５】
図６に示されるように、実施の形態２のバリ進入防止具３は、支持部４とバリ進入防止部６とに加えてバリ飛散防止部７と移動規制部８とを備える。
【００３６】
バリ飛散防止部７は、支持部４に設けられる。例えば、バリ飛散防止部７は、支持部４においてバリ進入防止部６の後端部の側に設けられる。バリ飛散防止部７は、強磁性体で形成される。
【００３７】
移動規制部８は、支持部４の後端部の側に設けられる。移動規制部８は、図６においては図示されない配管２の内径よりも大きい外形を備える。例えば、移動規制部８は、中心部において支持部４の後端部と直交するように設けられる。
【００３８】
なお、実施の形態２の支持部４は、第１外れ止め部９と第２外れ止め部１０とを備える。第１外れ止め部９は、支持部４においてバリ進入防止部６の先端部の側に設けられる。第１外れ止め部９は、バリ進入防止部６が支持部４の先端部の側から外れることを防止する。第２外れ止め部１０は、支持部４においてバリ進入防止部６の後端部の側に設けられる。第２外れ止め部１０は、バリ進入防止部６が支持部４の後端部の側から外れることを防止する。
【００３９】
また、実施の形態２のバリ進入防止部６は、前端部の外径よりも後端部の外径が大きくなるように形成される。
【００４０】
以上で説明した実施の形態２によれば、バリ進入防止部６は、前端部の外径よりも後端部の外径が大きくなるように形成される。このため、バリ進入防止部６を配管２の内部に挿入しやすくしつつ、バリ進入防止部６の外周と配管２の内周との間の隙間を確実に塞ぐことができる。
【００４１】
また、バリ飛散防止部７は、強磁性体で形成される。このため、除去されたバリは、バリ飛散防止部７に吸着する。その結果、除去されたバリをバリ飛散防止部７で確実に回収することができる。
【００４２】
特に、支持部４においてバリ進入防止部６の後端部の側にバリ飛散防止部７を設ければ、除去されたバリをバリ飛散防止部７で効率的に回収することができる。
【００４３】
また、移動規制部８は、配管２の内径よりも大きい外形を備える。バリ進入防止具３が配管２の内部に挿入され過ぎた場合、移動規制部８は、配管２の端部に接触する。このため、バリ進入防止具３が配管２の内部の奥側に入り過ぎて引き抜くことができなくなることを防止できる。
【００４４】
なお、実施の形態１または実施の形態２のバリ進入防止具３を天井の配管に適用してもよい。また、実施の形態１または実施の形態２のバリ進入防止具３を水の配管に適用してもよい。これらの場合も、バリが配管２の内部に進入することを防止できる。
【００４５】
また、配管２の種類に応じて、異なる内径が設定される。これに対し、実施の形態１および実施の形態２のバリ進入防止具３において、バリ進入防止部６は、弾性変形する。このため、配管２の種類よりも少ない種類のバリ進入防止部６で全ての配管２に対して適用することができる。
【符号の説明】
【００４６】
１  室外機、  １ａ  圧縮機、  １ｂ  ファン、  １ｃ  基板、  ２  配管、  ３  バリ進入防止具、  ４  支持部、  ５  把持部、  ６  バリ進入防止部、  ７  バリ飛散防止部、  ８  移動規制部、  ９  第１外れ止め部、  １０  第２外れ止め部
【図１】
2018176363.tif 000003
【図２】
2018176363.tif 000004
【図３】
2018176363.tif 000005
【図４】
2018176363.tif 000006
【図５】
2018176363.tif 000007
【図６】
2018176363.tif 000008